(57)【特許請求の範囲】
【請求項１】
中央溝によって区画されたレール部を有するスライダと、前記スライダのレール部端面に設けられた電磁変換素子部と、前記電磁変換素子部に設けられた導体コイルとを備え、前記電磁変換素子部の磁気トラック幅の中心線が、前記レール部のレール幅の中心線よりも外側に位置するように前記電磁変換素子部が配置され、前記導体コイルの捲線部の中心が前記レール幅の中心線よりも前記中央溝側に配置されていることを特徴とする浮上型薄膜磁気ヘッド。
【発明の詳細な説明】
【０００１】
【産業上の利用分野】
本発明は磁気ディスク装置等に用いられる浮上型薄膜磁気ヘッドに関するものである。
【０００２】
【従来の技術】
近年、浮上型薄膜磁気ヘッドは、半導体製造プロセスに使用される薄膜技術を利用して半導体プロセスレベルのパターン精度で製造され高記憶密度化が図られるとともに、磁気記録媒体に対して低浮上化が研究されますます高速化、高密度記録対応型で小型化のための開発がなされている。
【０００３】
以下に従来の浮上型薄膜磁気ヘッドについて説明する。図４は従来の浮上型薄膜磁気ヘッドの全体斜視図であり、図５は従来の浮上型薄膜磁気ヘッドの電磁変換素子部の拡大平面図である。図４において１はＡｌ２  Ｏ３  −ＴｉＣ等のセラミック材料または酸化物磁性材料によって構成されたスライダー、２，３はスライダー１の磁気記録媒体対向面側に形成されたレール部、４Ａ′，４Ｂ′はレール部２，３の各端部に固着された電磁変換素子部、５は電磁変換素子部４Ａ′，４Ｂ′を保護するためのＡｌ２  Ｏ３  等からなる保護膜、６，７はレール部２，３の表面を高度の平面度に仕上げられた浮上面、８，９はスライダー１を浮上させるためにレール部２，３の各端部に形成された空気流入用のテーパー部、１０は中央溝、ａは空気流入方向を示し、電磁変換素子部４Ａ′，４Ｂ′は、テーパー部８，９とは、反対側の空気流出側に配設されている。
【０００４】
また、図５において、２１′は上部磁性コア、２２′は導体コイル、２３，２４は引き出し線、２５は磁気トラック幅、２６はレール部２，３の短手方向のレール幅、２７，２８は磁気トラック幅の中心線とレール幅の中心線である。  以上のように構成された従来の浮上型薄膜磁気ヘッドについて、以下その動作を説明する。磁気記録媒体上を浮上型薄膜磁気ヘッドが低浮上量で浮上しながらスライダー１の空気流出側に配設された電磁変換素子部４Ａ′または４Ｂ′で記録再生を行う。
【０００５】
【発明が解決しようとする課題】
しかしながら上記従来の構成では、磁気記録媒体の記録再生の際、磁気記録媒体の中心からみて、外周側にあるトラックの方が、内周側のトラックよりも記録波長（トラックに沿った記録間隔）が長く、その出力も大きいのであるが、レール幅の中心線２８に、磁気トラック幅の中心線２７が位置しているため、記録容量を低下させるという問題点を有していた。即ち、浮上型薄膜磁気ヘッドは、磁気トラック幅の中心線２７に対し、レール幅の中心線２８が重なるため、浮上型薄膜磁気ヘッドが、磁気記録媒体の最外周側にあるとき、磁気記録媒体に浮上型薄膜磁気ヘッドのレール幅の中心線２８から、外側の位置までの間に、記録できない領域が生じ、その分だけ、記録容量を減少させるという問題点があった。そこで、レール幅の中心線２８より磁気トラック幅の中心線２７を外側に位置させようとすると従来の構造では導体コイル２２′がスライダー１よりはみ出て製品化できないという構造上の問題点も有していた。
【０００６】
本発明は上記従来の問題点を解決するもので、磁気トラック幅の中心線を、レール幅の中心線より極力外側に位置させることにより、出力の増大化、磁気特性の著しい向上を図ることのできる、かつ、磁気記録媒体に対し記録容量の増大化をも図ることのできる高性能な浮上型薄膜磁気ヘッドの提供を目的とする。
【０００７】
【課題を解決するための手段】
この目的を達成するために本発明の浮上型薄膜磁気ヘッドは、電磁変換素子部の形成時において、磁気トラック幅の中心線に対して、導体コイル捲線部を内側に傾けて形成を行う構造とした。具体的には、中央溝によって区画されたレール部を有するスライダと、スライダのレール部端面に設けられた電磁変換素子部と、電磁変換素子部に設けられた導体コイルとを備え、電磁変換素子部の磁気トラック幅の中心線が、レール部のレール幅の中心線よりも外側に位置するように電磁変換素子部が配置され、導体コイルの捲線部の中心がレール幅の中心線よりも中央溝側に配置された構成からなる。
【０００８】
【作用】
この構成によって、磁気トラック幅の中心線に対し、導体コイル捲線部をスライダーの内側に傾けて形成したので、導体コイル部がスライダーの内側に位置し、レール幅の中心線に対して、磁気トラック幅の中心線を外側に位置させることができる。この結果磁気記録媒体の最外周まで記録再生を行うことができるので記録容量を増大させることができる。
【０００９】
【実施例】
以下本発明の一実施例について、図面を参照しながら説明する。図１は本発明の一実施例における浮上型薄膜磁気ヘッドの全体斜視図、図２は本発明の一実施例における浮上型薄膜磁気ヘッドの電磁変換素子部の拡大平面図である。
【００１０】
図１、図２において１はスライダー、２，３はレール部、５は保護膜、６，７は浮上面、８，９はテーパー部、１０は中央溝、２３，２４は引き出し線、２５は磁気トラック幅、２６はレール幅、２７は磁気トラック幅の中心線、２８はレール幅の中心線であり、これらは従来の浮上型薄膜磁気ヘッドと同様なものなので同一の符号を付し説明を省略する。２１は磁気トラック幅の中心線２７がレール幅の中心線２８よりも外側に配置された上部磁性コア、２２は捲線部の中心がレール幅２６の中心もしくは中央溝１０側に配置された導体コイルである。
【００１１】
図２において、電磁変換素子部４Ａは磁気トラック幅の中心線２７がレール幅の中心線２８よりも外側に位置され、導体コイル２２の捲線部の中心が磁気トラック幅の中心線２７よりも角度Ｑだけスライダー１の内側に形成されている。従って、レール幅の中心線２８に対して、磁気トラック幅の中心線２７を外側に位置することができるので切削加工等を容易に施すこともできる。
【００１２】
以上のように構成された本実施例の浮上型薄膜磁気ヘッドについて、以下その動作を説明する。図３は本発明の一実施例における浮上型薄膜磁気ヘッドを用いて磁気ディスクに記録再生を行う状態を示した平面図である。図３において２９は磁気記録媒体であり、ｂは磁気記録媒体２９の中心側でのストロークエンドの中心径を示している。
【００１３】
従来の浮上型薄膜磁気ヘッドはスライダー１のレール幅２６が、０．３ｍｍから０．５ｍｍ、磁気トラック幅２５が、約０．０１ｍｍで、レール幅の中心線２８より外側には、０．１５ｍｍから０．２５ｍｍの磁気記録媒体２９の記録再生領域に無駄を生じていたが、本実施例によれば磁気トラック幅の中心線２７が、レール幅の中心線２８より外側に位置しているため磁気記録媒体２９の記録再生領域を最大限に利用することができることがわかる。
【００１４】
また、同じヘッドストロークの場合、磁気記録媒体２９の中心側でのストロークエンドの中心径ｂは大きくなり、それだけ、記録波長を短くして（周波数を上げて）、記録線密度を上げ、全体として記録容量を増大させることができる。
【００１５】
【発明の効果】
以上のように本発明は、中央溝によって区画されたレール部を有するスライダと、スライダのレール部端面に設けられた電磁変換素子部と、電磁変換素子部に設けられた導体コイルとを備え、電磁変換素子部の磁気トラック幅の中心線が、レール部のレール幅の中心線よりも外側に位置するように電磁変換素子部が配置され、導体コイルの捲線部の中心がレール幅の中心線よりも中央溝側に配置させているので、出力の増大化、磁気特性の向上化を図ることができ、かつ、磁気記録媒体の可能な限り最外周まで記録再生を行うことができるため、記録容量の増大化を図ることのできる高性能な浮上型薄膜磁気ヘッドを実現できるものである。
【図面の簡単な説明】
【図１】本発明の一実施例における浮上型薄膜磁気ヘッドの全体斜視図
【図２】本発明の一実施例における浮上型薄膜磁気ヘッドの電磁変換素子部の拡大平面図
【図３】本発明の一実施例における浮上型薄膜磁気ヘッドを用いて磁気ディスクに記録再生を行う状態を示した平面図
【図４】従来の浮上型薄膜磁気ヘッドの全体斜視図
【図５】従来の浮上型薄膜磁気ヘッドの電磁変換素子部の拡大平面図
【符号の説明】
１  スライダー
２，３  レール部
４Ａ，４Ａ′，４Ｂ，４Ｂ′  電磁変換素子部
５  保護膜
６，７  浮上面
８，９  テーパー部
１０  中央溝
２１，２１′  上部磁性コア
２２，２２′  導体コイル
２３，２４  引き出し線
２５  磁気トラック幅
２６  レール幅
２７  磁気トラック幅の中心線
２８  レール幅の中心線
２９  磁気記録媒体
ａ  空気流入方向
ｂ  ストロークエンドの中心径
【図１】
0003606885.tif 000002
【図２】
0003606885.tif 000003
【図３】
0003606885.tif 000004
【図４】
0003606885.tif 000005
【図５】
0003606885.tif 000006